(57)【要約】【課題】携帯型のトランシーバ等の携帯型無線通信機に備えられている操作キーの操作性に関し、操作キー毎に異なる周波数のビープ音を発することができるとともに、そのような操作キー毎のビープ音を、使用者が容易に設定することができるようにすること。【解決手段】本発明の携帯型無線通信機１は、操作キー５毎にビープ音の周波数データが記録された記憶手段３１と、操作された操作キー５に応じて記憶手段３１に記憶された周波数に基づいた低周波信号を発生する発生手段３０，３３，Ｐ１と、外部のコンピュータＰＣとデータ通信し得るデータ通信手段３４，６と、データ通信手段３４，６を介して入力された設定データに基づいて記憶手段３１に記憶された周波数データを書き換える書き換え手段３０，Ｐ２とを備えた。【選択図】            図１
2004214886.tif 000002
【特許請求の範囲】
【請求項１】
複数の操作キーを備えた携帯型無線通信機において、
操作キー毎にビープ音の周波数データが記録された記憶手段と、
操作された操作キーに応じて前記記憶手段に記憶された周波数に基づいた低周波信号を発生する発生手段と、
外部のコンピュータとデータ通信し得るデータ通信手段と、
データ通信手段を介して入力された設定データに基づいて前記記憶手段に記憶された周波数データを書き換える書き換え手段と、
を備えたことを特徴とする携帯型無線通信機。
【発明の詳細な説明】
【０００１】
【発明の属する技術分野】
本発明は、携帯型のトランシーバ等の携帯型無線通信機に備えられている操作キーの操作性を改善する技術に関するものである。
【０００２】
【従来の技術】
従来より、携帯型のトランシーバ等に備えられている操作キーは、操作キーを視認せずに手さぐりで操作することが多々あった。特に外部マイクを接続して使用している場合等においては、本体はベルトクリップ等で保持していることが多く、直接視認し難い状態となることが多い。
そこで、操作キーが押されたか否かを認識するために、操作キーが押されたときに何らかの音を発するように構成されている携帯型無線通信機が提案されている。
しかし、これでは、どの操作キーが押されたかを識別することはできないので、各操作キー毎に異なる音階のビープ音を設定できるように構成した無線通信機が提案されている。（例えば、特許文献１参照）
【０００３】
【特許文献１】
実用新案登録第２５５８８５８号公報（第２頁）
【０００４】
【発明が解決しようとする課題】
ところが、上述したような特許文献１に記載の技術等は、操作キー毎に異なる音を発生可能ではあるが、使用者が任意に設定できる構成は備えておらず、単なる遊具的な面白さが得られる程度に過ぎず実用性は低いという問題があった。
また、携帯型無線通信機の狭い画面と少ない操作キーを使用して入力・設定することは煩雑であるという問題があった。
特に、多数の同形式の携帯型無線通信機を同一内容の周波数データに設定する場合には、このような煩雑な作業を１台毎に繰り返さなければならないという問題があった。
【０００５】
そこで、本発明は、操作キー毎に異なる周波数のビープ音を発することができるとともに、そのような操作キー毎のビープ音を、使用者が容易に設定することのできる手段も提供すること目的としてなされたものである。
【０００６】
【課題を解決するための手段】
本発明は、
複数の操作キーを備えた携帯型無線通信機において、
操作キー毎にビープ音の周波数データが記録された記憶手段と、
操作された操作キーに応じて前記記憶手段に記憶された周波数に基づいた低周波信号を発生する発生手段と、
外部のコンピュータとデータ通信し得るデータ通信手段と、
データ通信手段を介して入力された設定データに基づいて前記記憶手段に記憶された周波数データを書き換える書き換え手段と、
を備えるという手段を講じた。
【０００７】
【作用】
上記構成によれば、データ通信手段と書き換え手段によって、外部のコンピュータから周波数データを所望の値に書き換えることによって、発生手段にて発生される低周波信号は、操作キー毎に所望の周波数の低周波信号となる。
【０００８】
【発明の実施の形態】
以下に、本発明にかかる携帯型無線通信機の実施の形態である携帯型トランシーバを図面に基づいて詳細に説明する。
【０００９】
前記携帯型トランシーバのブロック図を示した図１において、
１は携帯型トランシーバであり、送受信部２と制御部３と音声出力部４と入力部５とを備えている。
そして、前記送受信部２は、送受信回路２０とマイク２１とアンテナ２２とを備え、前記送受信回路２０から出力される低周波出力信号は前記音声出力部４に入力されるように構成されている。この部分の動作は一般的な動作であるので説明を省略する。
前記音声出力部４は、低周波増幅回路４１とスピーカ４２とを備え、入力された低周波出力信号を増幅してスピーカ４２から出力するように構成されている。
【００１０】
前記制御部３は、ＣＰＵ３０と、メモリ３１と、入力ポート３２と、ビープ出力ポート３３と、データ通信ポート３４とを備えたワンチップマイコン構成となっている。
前記制御部３のビープ出力ポート３３からの方形波出力は、外付けの波形整形回路（ローパスフィルタ）によってアナログ信号に変換されてビープ音の低周波信号となり、前記音声出力部４へ出力されるように構成されている。
前記制御部３の入力ポート３２には、複数の操作キーを備えた入力部５が接続され、前記データ通信ポート３４には外部とのデータ通信用のコネクタ６が接続されている。なお、前記入力部５には、小型化のために操作キーの数は例えば６個程度の少ない数になっている。
【００１１】
前記コネクタ６には、破線で図示したように、別途用意したパソコン等の外部のコンピュータＰＣを接続できるように構成されている。
前記コンピュータＰＣには、データ設定用のプログラムＰ３がインストールされている。
【００１２】
前記メモリ３１の一部領域には、ビープ音設定データとして、従来同様の固定されたビープ音を生成するためのデータＤ１と、各操作キー毎に任意に設定された周波数のビープ音を生成するためのデータＤ２とがデータテーブル形式で記憶されている。
前記データＤ２の内容の設定例を図２に示した。
図２の設定例では、操作キー「ＭＯＮＩ」には９８８Ｈｚ、操作キー「ＵＰ」には５８７Ｈｚ、操作キー  「ＤＯＷＮ」には５２３Ｈｚ、操作キー  「ＣＨ／ＷＸ」には６９８Ｈｚ、操作キー  「１６／９」には６５９Ｈｚ、操作キー  「ＳＣＡＮ」には８８０Ｈｚ、操作キー「Ｈ／Ｌ」には７８４Ｈｚがそれぞれ設定されている状態を示している。
【００１３】
図２に示したような設定例の場合に、例えば操作キー「ＭＯＮＩ」が押されると、ＣＰＵ３０は入力ポート３２を介して前記操作キーが押されたことを認識し、メモリ３１に記憶されている前記データＤ２を参照して、ビープ音の周波数を９８８Ｈｚとする周波数データを得て、ビープ音発生プログラムＰ１によって前記周波数データに基づいた周波数９８８Ｈｚの方形波データが出力され、この方形波データに基づいた周波数９８８Ｈｚの方形波が前記ビープ出力ポート３３からビープ音の低周波信号として出力される。
前記低周波信号は、ローパスフィルタ等の積分回路等によって処理されて、音声出力部４のスピーカ４２から周波数９８８Ｈｚのビープ音が発生される。
これによって、周波数９８８Ｈｚのビープ音に対応した操作キー「ＭＯＮＩ」が押されたことを、聴覚で確認することができるのである。
他の操作キーが押された場合にも、上記同様に前記データＤ２のデータを参照して、登録されている周波数のビープ音を発生する。
【００１４】
以上の説明においては、ビープ音の設定が「ユーザモード」になっている場合を説明したが、ビープ音の設定は、「ユーザーモード」以外に、ビープ音を鳴らさない「ＯＦＦモード」と、どの操作キーの場合でも固定された単一のビープ音を鳴らす「ＯＮモード」の中らか所望のモードに切り換えて動作させることができる。
【００１５】
次に、前記メモリ３１に登録されたデータＤ２を外部から変更する場合の動作を説明する。
先ず、図１において、破線で示したように、
前記通信用のコネクタ６にノートパソコン等のコンピュータＰＣを通信ケーブル６１によって接続し、この携帯型トランシーバ１とコンピュータＰＣの電源をオンにする。
そして、前記コンピュータＰＣに予めインストールされているデータ設定用のプログラムＰ３を起動する。
そして、図３に示したようなデータ編集用の画面が表示されると、カーソルを各操作キーに対応した周波数データの登録画面に移動させて、その周波数データを所望の値（例えば、４００Ｈｚ〜３０００Ｈｚの値）に変更することができる。
図３に示したようなデータ編集用の画面上で全ての周波数データを設定した後、データ転送操作を行うと、前記コンピュータＰＣの内部に一時的に保持されている各周波数データが、通信ケーブル６１とコネクタ６を介してＣＰＵ３０に送出される。
ＣＰＵ３０においては、メモリ３１に予め書き込まれているデータ通信プログラム（図示せず。）とデータ書き換えプログラムＰ２が起動しており、コンピュータＰＣから送出されてきた各周波数データが、メモリ３１の所定の領域に書き込まれる。即ち、メモリ３１内に既に登録されていたビープ音設定データのデータＤ２が、コンピュータＰＣから送出されてきた新しいデータに書き換えられるのである。
【００１６】
尚、ビープ音発生プログラムＰ１は、図４に示したように、ステップＳ１１において、操作された操作キーに応じた周波数データをデータＤ２を参照して読み取り、ステップＳ１２においては、読み取った周波数データに応じた方形波を生成するための波形データを計算してメモリ上に１周期分展開し、ステップＳ１３においては、前記展開されたメモリ上の波形データを順次ビープ出力ポート３３に出力する。ステップＳ１４においては、所定の発音時間が経過したときに波形データのビープ出力ポート３３への出力を停止して終了する。
【００１７】
また、データ書き換えプログラムＰ２は、図５に示したように、ステップＳ２１においては、外部のコンピュータＰＣから受け取ったデータを、メモリ３１のデータＤ２の該当する領域に順次上書きし、ステップＳ２２において、データの終了を示すデータが受信された場合に終了するように作動する。
【００１８】
以上のように、メモリ３１のビープ音設定データが書き換えられた後に何れかの操作キーを押すと、以上のようにして書き換えられたビープ音設定データに基づいた周波数のビープ音が発生される。
このようにして、所望の周波数のビープ音に設定することができるのである。
以上のような、複数の周波数データを、携帯型トランシーバ１の狭い画面と少ない操作キーを使用して入力・設定することは煩雑な作業となるが、例えばフルキーボードを備えたコンピュータＰＣの広い画面上で入力することによって、極めて快適な操作環境での作業となる。
特に、多数の同形式の携帯型トランシーバ１を同一内容の周波数データに設定する場合には、各携帯型トランシーバ１の操作キーによって一台ずつ入力・設定する作業に代えて、コンピュータＰＣに１回だけ周波数データを入力・登録するだけで、後は、通信ケーブルを順次接続することで、多数の同形式の携帯型トランシーバ１を、極めて簡単に、同一内容の周波数データに設定することが可能となる。
【００１９】
なお、前記通信ポート３４および通信用のコネクタ６は、ＲＳ−２３２ＣやＵＳＢ等の種々の通信形式用とすることができる。
【００２０】
【発明の効果】
本発明によれば、データ通信手段と書き換え手段とによって、外部のコンピュータから周波数データを所望の値に書き換えて、発生手段にて発生される低周波信号を、操作キー毎に所望の周波数の低周波信号とすることができるので、ビープ音の設定の変更を、使用者が外部のコンピュータを用いて効率よく行うことができる。
特に、多数の同形式の携帯型無線通信機を同一内容の周波数データに設定する作業が大きく改善されるという効果が得られる。
【図面の簡単な説明】
【図１】本発明にかかる携帯型無線通信機の実施の形態としての携帯型トランシーバのブロック図である。
【図２】周波数データの設定例である。
【図３】画面表示の例である。
【図４】プログラムＰ１のフローチャート例である。
【図５】プログラムＰ２のフローチャート例である。
【符号の説明】
１      携帯型無線通信機、携帯型トランシーバ
３      制御部
４      低周波出力部
５      入力部、操作キー
３０    ＣＰＵ
３１    メモリ、記憶手段
３２    入力ポート
３３    ビープ出力ポート
３４    データ通信ポート
ＰＣ    コンピュータ
Ｐ１    ビープ音発生プログラム
Ｐ２    データ書き換えプログラム
ＣＰＵ、３３、Ｐ１  発生手段
３４、６            通信手段
ＣＰＵ、Ｐ２        書き換え手段
【図１】
2004214886.tif 000003
【図２】
2004214886.tif 000004
【図３】
2004214886.tif 000005
【図４】
2004214886.tif 000006
【図５】
2004214886.tif 000007